(57)【要約】【課題】    本発明の目的は、果皮に質感を与えることができる柑橘類模造品の着色方法を提供するものである。【解決手段】    柑橘類模造品１の着色方法は、表面全体に亘って凹凸部１０Ａ、１０Ｂを有する果皮の本体１０に該本体１０の全体に亘って着色材Ｋを施す着色工程と、この着色工程によって施された着色材Ｋの内、表面全体に亘って残った凸部１０Ｂの着色材Ｋを表面全体に亘って拭き取る拭き取り工程を備え、この拭き取り工程により、表面の凹凸部１０Ａ、１０Ｂの内、凹部１０Ａに着色材Ｋを残存させるものである。【選択図】図１
2014153457.tif 000002
【特許請求の範囲】
【請求項１】
表面全体に亘って凹凸部を有する果皮の本体に該本体の全体に亘って着色材を施す着色工程と、
この着色工程によって施された着色材の内、表面全体に亘って残った前記凸部の前記着色材を表面全体に亘って拭き取る拭き取り工程を備え、
この拭き取り工程により、表面の前記凹凸部の内、前記凹部に着色材を残存させる
ことを特徴とする柑橘類模造品の着色方法。
【請求項２】
表面に凹凸部を有する果皮の本体に着色材を施す着色工程と、
この着色工程によって施された着色材の内、前記凸部に残った前記着色材を拭き取る拭き取り工程を備え、
この拭き取り工程により、表面の前記凹凸部の内、前記凹部に着色材を残存させる
ことを特徴とする柑橘類模造品の着色方法。
【請求項３】
表面全体に亘って凹凸部を有する果皮を備えた柑橘類模造品であって、前記凹凸部の内、前記凹部の着色を前記凸部の着色より濃くした
ことを特徴とする柑橘類模造品。
【請求項４】
表面に凹凸部を有する果皮を備えた柑橘類模造品であって、前記凹凸部の内、前記凹部の着色を前記凸部の着色より濃くした
ことを特徴とする柑橘類模造品。
【発明の詳細な説明】
【技術分野】
【０００１】
本発明は、柑橘類模造品の着色方法及び柑橘類模造品に係り、特に、果皮に質感を与えることができる柑橘類模造品の着色方法及び柑橘類模造品に関する。
【背景技術】
【０００２】
従来、柑橘類模造品の果皮にあっては、果皮表面に筆先に着色を点在させて質感を与えるようにしている。
【発明の概要】
【発明が解決しようとする課題】
【０００３】
ところが、果皮表面に筆先に着色を点在させて質感を与えても、質感の点で改善の余地があった。
【０００４】
本発明は、前記問題点を考慮したなされた柑橘類模造品の着色方法及び柑橘類模造品を提供することを目的とする。
【課題を解決するための手段】
【０００５】
請求項１記載の柑橘類模造品の着色方法は、表面全体に亘って凹凸部を有する果皮の本体に該本体の全体に亘って着色材を施す着色工程と、この着色工程によって施された着色材の内、表面全体に亘って残った前記凸部の前記着色材を表面全体に亘って拭き取る拭き取り工程を備え、この拭き取り工程により、表面の前記凹凸部の内、前記凹部に着色材を残存させるものである。
【０００６】
また、請求項２記載の柑橘類模造品の着色方法は、表面に凹凸部を有する果皮の本体に着色材を施す着色工程と、この着色工程によって施された着色材の内、前記凸部に残った前記着色材を拭き取る拭き取り工程を備え、この拭き取り工程により、表面の前記凹凸部の内、前記凹部に着色材を残存させるものである。
【０００７】
また、請求項３記載の柑橘類模造品は、表面全体に亘って凹凸部を有する果皮を備えた柑橘類模造品であって、前記凹凸部の内、前記凹部の着色を前記凸部の着色より濃くしたものである。
【０００８】
また、請求項４記載の柑橘類模造品は、表面に凹凸部を有する果皮を備えた柑橘類模造品であって、前記凹凸部の内、前記凹部の着色を前記凸部の着色より濃くしたものである。
【発明の効果】
【０００９】
請求項１記載の柑橘類模造品の着色方法によれば、表面全体に亘って凹凸部を有する果皮の本体に該本体の全体に亘って着色材を施す着色工程と、この着色工程によって施された着色材の内、表面全体に亘って残った前記凸部の前記着色材を表面全体に亘って拭き取る拭き取り工程を備え、この拭き取り工程により、表面の前記凹凸部の内、前記凹部に着色材を残存させるため、柑橘類模造品の表面の果皮の凹凸部の内、前記凹部に着色材を残存させて、簡易な方法で、柑橘類模造品の果皮に質感を与えることができる。
【００１０】
また、請求項２記載の柑橘類模造品の着色方法によれば、表面に凹凸部を有する果皮の本体に着色材を施す着色工程と、この着色工程によって施された着色材の内、前記凸部に残った前記着色材を拭き取る拭き取り工程を備え、この拭き取り工程により、表面の前記凹凸部の内、前記凹部に着色材を残存させるため、柑橘類模造品の表面の果皮の凹凸部の内、前記凹部に着色材を残存させて、簡易な方法で、柑橘類模造品の果皮に質感を与えることができる。
【００１１】
また、請求項３記載の柑橘類模造品によれば、表面全体に亘って凹凸部を有する果皮を備えた柑橘類模造品であって、前記凹凸部の内、前記凹部の着色を前記凸部の着色より濃くしたため、柑橘類模造品の果皮に質感を与えることができる。
【００１２】
また、請求項４記載の柑橘類模造品によれば、表面に凹凸部を有する果皮を備えた柑橘類模造品であって、前記凹凸部の内、前記凹部の着色を前記凸部の着色より濃くしたため、柑橘類模造品の果皮に質感を与えることができる。
【図面の簡単な説明】
【００１３】
【図１】図１は、本発明の一実施例の柑橘類模造品の概略的斜視図である。
【図２】図２は、図１のＡ部の概略的拡大図である。
【図３】図３は、図１の柑橘類模造品の製造過程の概略的断面図で、金型に樹脂を流し込む過程を示している。
【図４】図４は、図２のＢ部の概略的拡大図である。
【図５】図５は、図３の金型から柑橘類模造品の本体を取り出す過程を示す概略的断面図である。
【図６】図６は、図５の金型から取り出した柑橘類模造品の本体に着色を施す過程を示す概略的図である。
【図７】図７は、図６のＣ部の概略的拡大図である。
【図８】図８は、図６の着色を施した柑橘類模造品の本体から、該本体の表面から着色材を拭き取った状態の概略的斜視図である。
【図９】図９は、図８の一部を拡大して示す概略的一部拡大断面図で、柑橘類模造品の本体の凹部に着色材が残存している状態を示している。
【発明を実施するための形態】
【００１４】
本発明の一実施例の柑橘類模造品の着色方法及び柑橘類模造品を図面（図１乃至図９）を参照して説明する。  
図１に示す１は、柚子、レモン、みかん、夏みかん、オレンジ、金柑、柚子、八朔、ザボン、ボンカン、或いは、グレープフルーツなどを模した柑橘類模造品で、１０は柑橘類模造品１の本体である。
【００１５】
本体１０は、例えば、ポリ塩化ビニル（ＰＶＣ）、ポリエチレン（ＰＥ）、ポリスチレン（ＰＳ）、ポリウレタン（ＰＵ）、アクリルなどの樹脂に顔料を混ぜ込んだものなど、の有色材料で形成され、果実を模した略球形形状をなしている。
【００１６】
本体１０は、表面全体に亘って凹凸部（凹部を符号１０Ａ、凸部を符号１０Ｂで示す。)を有する果皮を備えている。
そして、凹凸部１０Ａ、１０Ｂの内、凹部１０Ａの着色を凸部１０Ｂの着色より濃くしたもの(図９参照）で、例えば、下記のようにして作ることができる。
【００１７】
即ち、図３に示す金型Ｘ、Ｙの凹所に、ポリ塩化ビニル（ＰＶＣ）、ポリエチレン（ＰＥ）、ポリスチレン（ＰＳ）、ポリウレタン（ＰＵ）、アクリルなどの樹脂に顔料を混ぜ込んだものなどの有色材料の樹脂を流し込んで、表面全体に亘って凹凸部１０Ａ、１０Ｂを有する果皮を備えた本体１０を製作し(図３参照）、金型Ｘ、Ｙより本体１０を取り出す(図５参照）。
【００１８】
次に、図６及び図７に示すように、表面全体に亘って凹凸部１０Ａ、１０Ｂを有する果皮の本体１０に該本体１０の全体に亘って着色材Ｋ（着色材Ｋは、例えば、ペンキ、絵の具、アクリル絵の具等である。）を、例えば、筆２０で施す（着色工程）。
なお、着色手段としては、筆２０等の刷毛の他、スプレー等でも良い。
【００１９】
この着色工程によって施された着色材Ｋの内、表面全体に亘って残った凸部１０Ｂの着色材Ｋを、たとえば、図示しないワイピングクロスで拭き取る（拭き取り工程）。
図７は、拭き取り前であり、図９は、拭き取り後を示している。上記拭き取り工程により、本体１０の表面の凹凸部１０Ａ、１０Ｂの内、凹部１０Ａに着色材Ｋを残存させることができる(図９参照)。
【００２０】
従って、上述した柑橘類模造品１の着色方法によれば、表面全体に亘って凹凸部１０Ａ、１０Ｂを有する果皮の本体１０に該本体１０の全体に亘って着色材Ｋを施す着色工程と、この着色工程によって施された着色材Ｋの内、表面全体に亘って残った凸部１０Ｂの着色材Ｋを表面全体に亘って拭き取る拭き取り工程を備え、この拭き取り工程により、表面の凹凸部１０Ａ、１０Ｂの内、凹部１０Ａに着色材Ｋを残存させるため、柑橘類模造品１の表面の果皮の凹凸部１０Ａ、１０Ｂの内、凹部１０Ａに着色材Ｋを残存させて、簡易な方法で、柑橘類模造品１の果皮に質感を与えることができる。
その結果、表面に凹凸部１０Ａ、１０Ｂを有する果皮を備えた柑橘類模造品１であって、凹凸部１０Ａ、１０Ｂの内、凹部１０Ａの着色を凸部１０Ｂの着色より濃くして、柑橘類模造品１の果皮に質感を与えることができる。
【００２１】
上述した実施例においては、表面全体に亘って凹凸部１０Ａ、１０Ｂを有する果皮に該果皮に亘って着色を施す着色工程としたが、本願発明にあっては、これに限らず、表面全体ではなく、表面の一部の凹凸部１０Ａ、１０Ｂを有する果皮の本体１０に着色材Ｋを施す（着色工程）ようにしても良い。
即ち、本願発明の柑橘類模造品１の着色方法は、表面に凹凸部１０Ａ、１０Ｂを有する果皮の本体１０に着色材Ｋを施す着色工程と、この着色工程によって施された着色材Ｋの内、凸部１０Ｂに残った着色材Ｋを拭き取る拭き取り工程を備え、この拭き取り工程により、表面の凹凸部１０Ａ、１０Ｂの内、凹部１０Ａに着色材Ｋを残存させるようにしても良い。
その結果、表面に凹凸部１０Ａ、１０Ｂを有する果皮を備えた柑橘類模造品１であって、凹凸部１０Ａ、１０Ｂの内、凹部１０Ａの着色を凸部１０Ｂの着色より濃くしたため、柑橘類模造品１の果皮に質感を与えることができる。
【符号の説明】
【００２２】
１      柑橘類模造品
１０    本体
１０Ａ  凹部
１０Ｂ  凸部
Ｋ      着色材
【図１】
2014153457.tif 000003
【図２】
2014153457.tif 000004
【図３】
2014153457.tif 000005
【図４】
2014153457.tif 000006
【図５】
2014153457.tif 000007
【図６】
2014153457.tif 000008
【図７】
2014153457.tif 000009
【図８】
2014153457.tif 000010
【図９】
2014153457.tif 000011